【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】
複数の項目を画像表示部に表示する表示制御手段において、前記複数の項目を徐々に拡大するとともに、前記複数の項目を徐々に鮮明な画像として画像表示部に表示する表示制御を行なう項目表示制御手段を備えることを特徴とする表示制御装置。
【請求項２】
第１の複数の項目からなる前記画像表示部に表示可能な第１の画面と、
前記第１の画面より下位の階層であって第２の複数の項目からなる前記画像表示部に表示可能な第２の画面と、
前記第１の画面と前記第２の画面とを選択的に切り換えて前記画像表示部に表示する画面表示制御手段とを備え、前記画面表示手段による前記第１の画面から前記第２の画面への切り換えの際、前記項目表示制御手段は、前記第２の複数の項目を徐々に拡大して表示するよう表示制御を行なうことを特徴とする請求項１に記載の表示制御装置。
【請求項３】
揺動又は回動動作可能で且つ押圧可能なスイッチ部を備え、
前記スイッチ部の揺動又は回動動作により、前記第１の画面の前記第１の複数の項目から任意の項目を選択し、前記スイッチ部の押圧操作により、前記画像表示制御手段が前記第１の画面から前記選択した項目に関係する下位の階層の画面である前記第２の画面への切り換えが行なわれるものであることを特徴とする請求項２に記載の表示制御装置。
【請求項４】
複数の項目を画像表示部に表示する項目表示制御手段と、前記複数の項目に対応して複数の窓枠を前記画像表示部に表示する窓枠表示制御手段とを備え、
前記項目表示制御手段は、前記複数の項目を徐々に拡大して各項目が対応する前記窓枠内に位置するよう表示制御をおこなうことを特徴とする表示制御装置。
【請求項５】
前記項目表示制御手段は、前記複数の項目を徐々に拡大して表示する際、前記各項目を徐々に鮮明な画像として表示制御を行うことを特徴とする請求項４に記載の表示制御装置。
【請求項６】
第１の複数の項目からなる前記画像表示部に表示可能な第１の画面と、
前記第１の画面より下位の階層であって第２の複数の項目と前記複数の窓枠からなる前記画像表示部に表示可能な第２の画面と、
前記第１の画面と前記第２の画面とを選択的に切り換えて前記画像表示部に表示する画面表示制御手段とを備え、
前記画面表示制御手段による前記第１の画面から前記第２の画面への切り換えの際、前記項目表示制御手段が、前記第２の複数の項目を徐々に拡大してその各項目が対応する前記窓枠内に位置するよう表示制御を行うことを特徴とする請求項４又は５に記載の表示制御装置。
【請求項７】
前記画像表示制御手段による前記第１の画面と前記第２の画面との選択的表示を共に指示する第１の操作手段と第２の操作手段とを備え、
前記第１の操作手段による前記画像表示制御手段による前記第１の画面から前記第２の画面への切り換えの際、前記項目表示制御手段が、前記第２の複数の項目を徐々に拡大してその項目が対応する前記窓枠内に位置するよう表示制御を行い、
前記第２の操作手段による前記画像表示制御手段による前記第１の画面から前記第２の画面への切り換えの際、前記項目表示制御手段が、前記第２の複数の項目をその各項目が対応する前記窓枠内に直ちに位置するよう表示制御をおこなうことを特徴とする請求項６に記載の表示制御装置。
【請求項８】
揺動又は回動動作可能で且つ押圧操作可能なスイッチ部を備え、
前記スイッチ部の揺動又は回動動作により、前記第１の画面の前記第１の複数の項目から任意の項目を選択し、前記スイッチ部の押圧操作により、前記画像表示制御手段が前記第１の画面から前記選択した項目に関係する下位の階層の画面である前記第２の画面への切り換えが行われるものであることを特徴とする請求項６に記載の表示制御装置。
【請求項９】
前記スイッチ部の揺動又は回動操作による項目の選択から所定時間以内に前記スイッチ部の押圧操作による第２画面への切り換えが行われる際に、前記項目表示制御手段が、前記第２の複数の項目をその各項目が対応する前記窓枠内に直ちに位置するよう表示制御を行い、
前記スイッチ部の揺動又は回動操作による項目の選択から前記所定時間後に前記スイッチ部の押圧操作による第２画面への切り換えが行われる際に、前記項目表示制御手段が、前記第２の複数の項目を徐々に拡大してその各項目が対応する前記窓枠内に位置するよう表示制御を行うことを特徴とする請求項８に記載の表示制御装置。
【請求項１０】
前記項目はメニュー項目であり、前記窓枠内に前記メニュー項目と共に前記メニュー項目に対応する複数のアイコンを表示するアイコン表示制御手段を備えたことを特徴とする請求項４乃至９の内いずれか１に記載の表示制御装置。
【請求項１１】
前記アイコン表示制御手段は、前記項目表示制御手段の複数の項目の徐々に拡大する表示制御と同様に前記複数のアイコンを徐々に拡大して各アイコンが対応する前記窓枠内に位置するように表示制御を行うことを特徴とする請求項１０に記載の表示制御装置。
【請求項１２】
前記窓枠は、少なくとも第１の表示枠と該第１の表示枠よりもその幅が狭い第２の表示枠とを備え、
前記項目表示制御手段は、少なくとも前記第２の表示枠内に前記項目を表示し、
前記アイコン表示制御手段は、前記第１の表示枠内に前記アイコンを表示することを特徴とする請求項１０又は１１に記載の表示制御装置。
【請求項１３】
表示制御装置に用いられる表示制御プログラムであって、
第１の複数の項目からなる第１の画面を画像表示部に表示するステップと、
第１の操作に応じて、前記第１の画面より下位の階層であって第２の複数の項目と複数の窓枠からなる第２の画面を前記画像表示部に表示する際、前記第２の複数の項目を徐々に拡大してその各項目が対応する前記窓枠内に位置するよう表示制御するステップとを有することを特徴とする表示制御プログラム。
【請求項１４】
表示制御装置に用いられる表示制御プログラムであって、
第１の複数の項目からなる第１の画面を画像表示部に表示するステップと、
揺動又は回動操作可能で且つ押圧操作可能なスイッチ部の揺動操作又は回動操作に応じて前記第１の複数の項目から任意の項目を選択するステップと、
前記スイッチ部の押圧操作により、前記選択した項目を決定するステップと、
前記スイッチ部の揺動又は回動操作による項目の選択から所定時間以内に前記スイッチ部の押圧操作による項目の決定がなされたかどうか判断するステップと、
前記画像表示制御手段が前記第１の画面から前記選択した項目に関係する下位の階層であって第２の複数の項目と複数の窓枠からなる第２の画面へ切り換え表示する際、前記判断するステップの判断に応じて、前記第２の複数の項目を徐々に拡大してその各項目が対応する前記窓枠内に位置するよう表示する表示制御と、前記第２の複数の項目をその各項目が対応する前記窓枠内に直ちに位置するよう表示する表示制御とを選択的に動作させるステップとを有することを特徴とする表示制御プログラム。
【手続補正２】
【補正対象書類名】明細書
【補正対象項目名】００１０
【補正方法】変更
【補正の内容】
【００１０】
【課題を解決するための手段】
本発明によれば、複数の項目を画像表示部に表示する表示制御手段において前記複数の項目を徐々に拡大するとともに、前記複数の項目を徐々に鮮明な画像として画像表示部に表示する表示制御を行なう項目表示制御手段を備えることを特徴とするもので、具体的には第１の複数の項目からなる前記画像表示部に表示可能な第１の画面と、前記第１の画面より下位の階層であって第２の複数の項目からなる前記画像表示部に表示可能な第２の画面と、前記第１の画面と前記第２の画面とを選択的に切り換えて前記画像表示部に表示する画面表示制御手段とを備え、前記画面表示手段による前記第１の画面から前記第２の画面への切り換えの際、前記項目表示制御手段は、前記第２の複数の項目を徐々に拡大して表示するよう表示制御を行なうことを特徴し、好ましくは揺動又は回動動作可能で且つ押圧可能なスイッチ部を備え、
前記スイッチ部の揺動又は回動動作により、前記第１の画面の前記第１の複数の項目から任意の項目を選択し、前記スイッチ部の押圧操作により、前記画像表示制御手段が
前記第１の画面から前記選択した項目に関係する下位の階層の画面である前記第２の画面への切り換えが行なわれるものであることを特徴とする。
又本発明は、複数の項目を画像表示部に表示する項目表示制御手段と、前記複数の項目に対応して複数の窓枠を前記画像表示部に表示する窓枠表示制御手段とを備え、
前記項目表示制御手段は、前記複数の項目を徐々に拡大して各項目が対応する前記窓枠内に位置するよう表示制御をおこなうことを特徴とする。